(57)【特許請求の範囲】
【請求項１】
外側切断部材及び前記外側切断部材に対して移動可能に構成された内側切断部材を有する少なくとも１つの切断ユニットと、前記内側切断部材を移動するドライバとを持つシェービング装置において、前記外側切断部材が、２つの相互接続された横縁を持つシェービングセクションを備え、前記２つの相互接続された横縁の間に切断エッジを提供するヘアエントリ開口が設けられ、前記内側切断部材が、前記外側切断部材の前記切断エッジと協働する切断エッジを持つ切断要素を備え、少なくとも一部の前記ヘアエントリ開口が、前記外側切断部材の２つの実質的に平らな薄板の間に各々延在する横に開いた凹部により形成され、前記凹部のそれぞれは、前記凹部に最も近い横縁に面する開いた横方向の面を持ち、それぞれの前記凹部が間に延在する２つの薄板の少なくとも一方は、前記シェービングセクションの前記縁の間に位置し且つ前記凹部に最も近い横縁に面する自由端を持つ、シェービング装置。
【請求項２】
前記２つの実質的に平らな薄板の両方の薄板が、前記シェービングセクションの前記縁の間に位置する自由端を持つ、請求項１に記載のシェービング装置。
【請求項３】
前記縁の少なくとも一方が、接続要素により他方の縁に接続されたエッジにより構成される、請求項１に記載のシェービング装置。
【請求項４】
前記接続要素が、接続薄板を有し、前記接続薄板の一方の端部が、前記縁の一方に接続され、他方の端部が他方の縁に接続される、請求項３に記載のシェービング装置。
【請求項５】
前記内側切断部材が、前記外側切断部材に対して回転可能に取り付けられ、前記シェービングセクションが、環状セクションであり、前記薄板が、実質的に半径方向に延在する薄板である、請求項１に記載のシェービング装置。
【請求項６】
前記横に開いた凹部が、片側が開いたスロットである、請求項１に記載のシェービング装置。
【請求項７】
少なくとも２つの同軸に配置されたシェービングセクションが設けられる、請求項５に記載のシェービング装置。
【請求項８】
少なくとも２つの同軸に配置されたシェービングセクションが設けられ、少なくとも１つのシェービングセクションの複数のヘアエントリ開口が、前記外側切断部材の２つの実質的に平らな薄板の間に各々延在する内側に開いた凹部により形成され、前記薄板が、内側に向いた自由端を持ち、少なくとも１つの他のシェービングセクションの複数のヘアエントリ開口が、前記外側切断部材の２つの実質的に平らな薄板の間に各々延在する外側に開いた凹部により形成され、前記薄板が、外側に向いた自由端を持つ、請求項５に記載のシェービング装置。
【請求項９】
前記２つのシェービングセクションの一方の前記薄板が、半径方向に内側に向けられ、他方のシェービングセクションの前記薄板が、半径方向に外側に向けられる、請求項７に記載のシェービング装置。
【請求項１０】
開いた凹部のセットが、前記外側切断部材の２つの実質的に平らな薄板の間に各々延在する内側に開いた凹部により形成され、前記薄板が、内側に向けられた自由端を持ち、開いた凹部のセットが、前記外側切断部材の２つの実質的に平らな薄板の間に各々延在する外側に開いた凹部により形成され、前記薄板が、外側に向けられた自由端を持つ、請求項５に記載のシェービング装置。
【請求項１１】
前記開いた凹部が、全ての側が閉じているヘアエントリ開口と組み合わせられる、請求項５に記載のシェービング装置。
【請求項１２】
前記全ての側が閉じているヘアエントリ開口が、開いた凹部のゾーンの周りのゾーンに配置され、前記凹部の前記半径方向に延在する薄板が、内側に向けられた薄板である、請求項１１に記載のシェービング装置。
【請求項１３】
前記開いた凹部が、前記全ての側が閉じているヘアエントリ開口のゾーンの周りのゾーンに配置され、前記開いた凹部の前記半径方向に延在する薄板が、外側に向けられた薄板である、請求項１１に記載のシェービング装置。
【請求項１４】
前記内側切断部材が、前記外側切断部材に対して平行移動可能に取り付けられ、前記シェービングセクションが、長軸を持つ細長いセクションであり、前記薄板が、前記細長いセクションの長軸に対して実質的に垂直に向けられる、請求項１に記載のシェービング装置。
【請求項１５】
請求項１ないし１４のいずれか一項に記載の装置において使用するのに適した切断ユニットにおいて、前記切断ユニットが、外側切断部材と、前記外側切断部材に対して移動可能に構成された内側切断部材とを有し、前記外側切断部材が、互いに接続された２つの横縁を持つシェービングセクションを備え、前記縁の間に、切断エッジを持つヘアエントリ開口が設けられ、前記内側切断部材が、前記外側切断部材の前記切断エッジと協働する切断エッジを持つ切断要素を備え、少なくとも一部の前記ヘアエントリ開口が、前記外側切断部材の２つの実質的に平らな薄板の間に各々延在する横に開いた凹部により形成され、前記凹部のそれぞれは、前記凹部に最も近い横縁に面する開いた横方向の面を持ち、それぞれの前記凹部が間に延在する２つの薄板の少なくとも一方が、前記シェービングセクションの前記縁の間に位置し且つ前記凹部に最も近い横縁に面する自由端を持つ、切断ユニット。
【請求項１６】
請求項１５に記載の１より多い切断ユニット、好ましくは３つの切断ユニットを備えたシェービングヘッドホルダ。
【請求項１７】
前記ドライバを収容し、１より多い切断ユニットを支えるハウジングを備えた、請求項１ないし１４のいずれか一項に記載のシェービング装置。
【発明の詳細な説明】
【技術分野】
【０００１】
本発明は、外側切断部材及び前記外側切断部材に対して移動可能に構成された内側切断部材を有する少なくとも１つの切断ユニットと、前記内側切断部材を移動するドライバとを持つシェービング装置であって、前記外側切断部材が、２つの相互接続された横縁（lateral borders）を持つシェービングセクションを備え、前記２つの相互接続された横縁の間に、切断エッジを持つヘアエントリ開口（hair entry apertures）が備えられ、前記内側切断部材が、前記外側切断部材の前記切断エッジと協働する切断エッジを持つ切断要素を備える、シェービング装置に関する。本発明は、更に、前記シェービング装置において使用するのに適した切断ユニット、及び１以上の切断ユニット備えたシェービングヘッドに関する。
【背景技術】
【０００２】
上に示された種類のシェービング装置は、幅広く知られており、例えばＷＯ−Ａ２００４／１０８３６８に開示されている。この刊行物において開示された装置は、シェービングヘッドとしても既知である、皮膚接触面に設けられた３つの切断ユニットを持つ。各切断ユニットは、ヘアトラップ開口を備えた外側切断部材及び前記ヘアトラップ開口を通って突き出す毛を切断する複数の刃を持つ回転可能に構成された内側切断部材により形成される１つの環状シェービング部分を有する。前記ヘアトラップ開口は、前記外側切断部材の環状領域において前記環状領域の内側エッジから前記環状領域の外側エッジまで半径方向に延在する薄板（lamellae）により形成された軸方向に及び半径方向に延在するスリットにより構成される。このような構成のスリット及び薄板は、ヘアキャッチ構造として良好に機能すると証明されたが、前記構成が、幾分長い毛を捕獲する際に問題を引き起こすことがわかっている。このような毛は、シェービング動作中に前記薄板により皮膚に対して押し下げられ、この結果として、これらの幾分長い毛は、前記スリットに入ることができない。２つ又は３つの環状シェービング部分を備えた同様のシェービング装置も既知である。
【発明の概要】
【発明が解決しようとする課題】
【０００３】
本発明の目的は、短い毛及び幾分長い毛の両方を良好に剃ることができるシェービング装置を提供することである。
【課題を解決するための手段】
【０００４】
この目的は、請求項１において規定される本発明によるシェービング装置により達成されることができる。
【０００５】
本発明によるシェービング装置は、少なくとも１つの切断ユニットを持ち、前記切断ユニットは、外側切断部材及び前記外側切断部材に対して移動可能に構成された内側切断部材を有し、前記シェービング装置は、前記内側切断部材を移動するドライバを持ち、前記外側切断部材は、２つの相互接続された横縁を持つシェービングセクションを備え、前記２つの相互接続された横縁の間に、切断エッジを持つヘアエントリ開口が設けられ、前記内側切断部材は、前記外側切断部材の前記切断エッジと協働する切断エッジを持つ切断要素を備え、少なくとも一部の前記ヘアエントリ開口が、前記外側切断部材の２つの実質的に平らな薄板の間に各々延在する横に開いた凹部により形成され、これら２つの薄板の少なくとも一方が、前記シェービングセクションの前記横縁の間に位置する自由端を持つ。通常、前記内側切断部材は、１より多い切断要素を備える。事実上、前記内側及び外側切断部材の協働する切断エッジは、前記シェービング装置の前記シェービングセクションにおいてカッタを形成する。好ましくは、前記２つの実質的に平らな薄板の両方の薄板が、前記シェービングセクションの前記横縁の間に位置する自由端を持つ。このような薄板は、各々が固定端及び自由端を持ち、前記自由端は、前記縁を越えて延在しない。前記薄板の自由端は、前記シェービング装置の使用中に、剃られるべき長い毛及び／又は皮膚上に横たわる毛をすくい取り、シェービング動作中にこれらの毛を前記ヘアエントリ開口に対する改良された向きに持っていくことができる。前記自由端の特定の位置により、毛は、ヘアエントリ開口に、高い確率で良好な向きの位置で入り、次いで協働する切断エッジにより切断される。適用される方策の本質的な特徴は、シェービング動作中に、より長い毛が捕獲され、協働する切断エッジから短い距離において切断に対する良好な向きに持ち込まれる又は維持されることである。
【０００６】
実際的な実施例において、前記横縁の少なくとも１つは、接続要素により他方の横縁に接続されたエッジにより構成される。両方の縁が、エッジにより構成される場合、これらは、接続要素により相互に接続される。前記エッジは、様々な形に成形されることができ、端部又は隔壁であってもよい。
【０００７】
好適な実施例において、前記接続要素は、接続薄板を有し、前記接続薄板の一端は、前記縁の一方に接続され、他方の端部は、他方の縁に接続される。好ましくは、これらの薄板は、実質的に平らである。前記接続薄板は、主に前記構成の機械的安定性を保証するのに役立つ。
【０００８】
本発明によるシェービング装置の他の好適な実施例は、前記内側切断部材が、前記外側切断部材に対して回転可能に取り付けられ、前記シェービングセクションが、環状セクションであり、前記薄板が、実質的に半径方向に延在することを特徴とする。この実施例において、前記薄板の自由端は、前記環状セクションにより規定される外形を越えて延在せず、前記カッタの直接的に近くにある。
【０００９】
回転可能な切断部材を持つタイプのシェーバにおいて、前記切断ユニット又は複数のユニットは、シェービングプロセス中に回転動作で皮膚に沿って移動される。本発明の適用される方策が、特にこれらのシェービング動作において非常に効果的であることがわかっている。回転シェービング動作中に、毛は、常に正しい方向において前記入口開口に近づくわけではなく、これによりこのような毛が前記切断ユニットにより押し下げられるリスクが存在する。この現象は、切断の直前に捕獲される場合に大部分が防止されることができる。前記薄板の自由端と切断領域との間の距離が最小であり、これにより毛が、シェービング動作中に前記カッタの直接的に近くで捕獲されるので、本発明は、この機会を提供する。自由端を持つ前記薄板の長さが、これ自体、あまり重要ではないが、しかしながら前記自由端の位置が、上で説明されたように、協働する切断エッジに関して、カッタトラックとも称され、必須であることに注意する。自由端とこのカッタトラックとの間の距離は、好ましくは４００μｍより小さい。
【００１０】
本発明によるシェービング装置の実際的な実施例において、前記横に開いた凹部は、片側が開いたスロットである。このような実施例において、前記外側切断部材は、一般に、カップ形状ボディである。接続薄板は、皮膚圧力を制御するのに使用されることができる。
【００１１】
本発明によるシェービング装置の他の好適な実施例において、少なくとも２つの同軸に配置されたシェービングセクションが設けられる。好ましくは、少なくとも２つの同軸に配置されたシェービングセクションが設けられ、少なくとも１つのシェービングセクションの複数のヘアエントリ開口が、内側に開いた凹部により形成され、前記凹部の各々が、前記外側切断部材の２つの実質的に平らな薄板の間に延在し、前記薄板が、内側に向けられた自由端を持ち、少なくとも１つの他のシェービングセクションの複数のヘアエントリ開口が、外側に開いた凹部により形成され、前記凹部の各々が、前記外側切断部材の２つの実質的に平らな薄板の間に延在し、前記薄板が、外側に向けられた自由端を持つ。前記２つのシェービングセクションの一方の前記薄板は、半径方向に内側に向けられ、他方のシェービングセクションの前記薄板は、半径方向に外側に向けられる。
【００１２】
本発明によるシェービング装置の他の好適な実施例は、開いた凹部のセットが、前記外側切断部材の２つの実質的に平らな薄板の間に各々延在する内側に開いた凹部により形成され、前記薄板が、内側に向けられた自由端を持ち、開いた凹部のセットが、前記外側切断部材の２つの実質的に平らな薄板の間に各々延在する外側に開いた凹部により形成され、前記薄板は、外側に向けられた自由端を持つ。
【００１３】
前記開いた凹部は、全ての側が閉じられたヘアエントリ開口と組み合わせられることができる。前記全ての側が閉じられたヘアエントリ開口は、開いた凹部のゾーンの周りのゾーンに配置されることができ、前記凹部の半径方向に延在する薄板は、内側に向けられた薄板である。代わりに、前記開いた凹部は、全ての側が閉じられたヘアエントリ開口のゾーンの周りのゾーンに配置され、前記開いた凹部の半径方向に延在する薄板は、外側に向けられた薄板である。
【００１４】
原理的に、様々な組み合わせが可能である。外周の一部に沿ってのみ横に開いた凹部を設けられたシェービングセクションを形成することも可能である。他の部分は、既知のヘアエントリ開口により形成されてもよい。
【００１５】
ＥＰ−Ａ０６９３９８８が、外側カッタ及び内側カッタを有するシェービングヘッドを備えたドライシェービング装置を開示していることに注意すべきである。係合表面を含む前記外側カッタは、スロット及び比較的長いブリッジ部材を持つ壁要素、並びに最初に述べられた壁要素と角をなす関係に配置された角をなす壁要素により形成される。前記ブリッジ部材は、前記角をなす壁要素に対して自由に突出し、前記角をなす壁要素の外形を越えて突出し、前記係合表面を形成する前記壁素子の面内に位置する突出端部を持つ。前記突出端部は、比較的長く、ヘアフィード手段のつもりである。前記突出端部は、より長い毛を持ち上げることができるが、前記協働するカッタ面に対する位置、より具体的には前記協働するカッタ面に対する比較的長い距離は、持ち上げられた毛が、例えば、特に回転シェービング動作中に、前記カッタに到達する前に、突出端部の下で終わることにより、持ち上げられた位置を容易に離れることができるようなものである。更に、前記突出端部は、皮膚にかけられる圧力に対する好ましくない効果によりシェービング中に不快に感じることができる。
【００１６】
本発明による切断ユニットは、外側切断部材及び前記外側切断部材に対して移動可能に構成された内側切断部材を有し、前記外側切断部材は、２つの相互に接続された横縁を持つシェービングセクションを備え、前記横縁の間に、切断エッジを持つヘアエントリ開口が設けられ、前記内側切断部材は、前記外側切断部材の前記切断エッジと協働する切断エッジを持つ切断要素を備え、少なくとも一部の前記ヘアエントリ開口が、前記外側切断部材の２つの実質的に平らな薄板の間に各々延在する横に開いた凹部により形成され、これら２つの薄板の少なくとも一方が、前記シェービングセクションの前記縁の間に位置する自由端を持つ。この切断ユニットは、本発明によるシェービング装置の上記説明において述べられたものと同様の効果及び利点を持つ。
【００１７】
本発明による切断ユニットの実施例は、本発明によるシェービング装置の上記記載において記載されている。
【００１８】
本発明によるシェービングヘッドホルダは、本発明による１以上の切断ユニット、好ましくは３つの切断ユニットを備える。
【００１９】
本発明は、ドライバを収容するハウジング及び本発明によるシェービングヘッドを備えたシェービング装置にも関する。
【００２０】
請求項を参照して、前記請求項において述べられたフィーチャの全ての可能な組み合わせが本発明の一部であることに注意する。
【００２１】
本発明のこれら及び他の態様は、以下に記載され、図面に示される例を参照して説明され、明らかになる。
【図面の簡単な説明】
【００２２】
【図１】本発明によるシェービング装置の一実施例の斜視図である。
【図２】本発明による切断ユニットの一実施例の外側切断部材の斜視図である。
【図３】図２に関連して述べられる切断ユニットの実施例の断面図である。
【図４】図３に開示された切断ユニットの実施例の細部である。
【図５】本発明による切断ユニットの他の実施例の外側切断部材の斜視図である。
【発明を実施するための形態】
【００２３】
全ての開示される実施例は、概略的に描かれていることに注意する。更に、対応する構成要素が、描かれた実施例の説明において同じ参照符号を与えられることに注意する。
【００２４】
図１に開示されるシェービング装置は、ハウジング１に取り外し可能に又は枢動可能に取り付けられることができるシェービングヘッドホルダ３を備えたハウジング１を持つ。この例において、シェービングヘッドとも称される３つの切断ユニット５が、ホルダ３に設けられている。
【００２５】
図２ないし４に開示される切断ユニットは、外側切断部材７と、外側切断部材７に対して軸１０の周りで回転するようにシェービングヘッドホルダ内に移動可能に構成される内側切断部材９とを有する。切断ユニット５は、前記内側切断部材を回転させるドライバ１１を備える。ドライバ１１は、シェービング装置のハウジングに収容される電子駆動ユニットに接続可能である。このような電子駆動ユニットは、周知であり、図面には描かれていない。外側切断部材７は、２つの同軸に配置された横縁１５及び１７を持つ環状シェービングセクション１３を備える。これらの縁１５及び１７は、この例においては、半径方向に延在する薄板１９により形成される接続手段により互いに接続され、各接続薄板１９は、縁１５に固定された端部１９ａ及び縁１７に固定された端部１９ｂを持つ。前記接続手段の多くの変形例が可能である。事実上、接続薄板１９は、シェービングセクション１３の幅を規定し、前記幅は、縁１５と１７との間の距離である。シェービングセクション１３は、切断エッジ２３を提供するヘアエントリ開口２１を備える。内側切断部材９は、シェービングセクション１３の切断エッジ２３と協働する切断エッジ２７を持つ切断要素２５を備える。ヘアエントリ開口２１は、半径方向に向けられ、横に開いた凹部により形成され、前記横に開いた凹部も、番号２１により示され、外側切断部材７の２つの半径方向に延在する薄板２９の間に延在し、薄板２９は、シェービングセクション１３の縁１５と１７との間に位置する自由端を各々持つ。前記横に開いた凹部は、半径方向に向けられた開いた端部を持つ。他の複数の横に開いた凹部２１は、薄板２９と接続薄板１９との間に延在する。両方の場合において、前記自由端は、シェービングセクション１３内に位置し、接続薄板１９の端部１９ａ、１９ｂを越えて延在も到達もしない。
【００２６】
この例において、開いた凹部２１のセット３１は、内側に開いた凹部により形成され、対応する薄板２９は、内側に向けられた自由端２９ａを持ち、開いた凹部２１のセット３３は、外側に開いた凹部により形成され、対応する薄板２９は、外側に向けられた自由端２９ｂを持つ。
【００２７】
この例において、外側切断部材７は、合計３つの同軸に配置されたシェービングセクションを持つ。上で論じられたシェービングセクション１３は別にして、番号３５及び３７により示される２つの従来のシェービングセクションが存在する。最も内側のセクション３５は、内側縁３９及び縁１５により縁どられ、最も外側のセクション３７は、縁１７及び外側縁４１により縁どられる。シェービングセクション３５及び３７は、それぞれ、円形の開口４３及び放射状スリット４５の形式のヘアエントリ開口を備える。内側切断部材９は、それぞれシェービングセクション３５及び３７と協働する切断要素４７及び４９を持つ。
【００２８】
図５に描かれた外側切断部材７は、図２に描かれた前記外側切断部材の様々な代替案の１つであり、また、３つの同軸に配置されたシェービングセクション、すなわち内側セクション３５、中間セクション１３及び外側セクション３７を持つ。内側セクション３５は、横縁３９及び１５により規定され、中間セクション１３は、横縁１５及び１９により規定され、外側セクション３７は、横縁１７及び４１により規定される。上述の縁の対３９、１５；１５、１７及び１７、４１は、シェービングセクション３５、１３及び３７の外形をそれぞれ規定する。内側シェービングセクション３５は、従来の円形のヘアエントリ開口４３を備える。中間シェービングセクション１３は、従来の円形のヘアエントリ開口４３のリング形状ゾーン５１及び外側に開いた凹部２１のリング形状ゾーン５３を備え、ゾーン５３は、ゾーン５１に沿って延在する。シェービングセクション１３は、セクション１３の外形内に位置する自由端２９ｂを持つ半径方向に外側に延在する薄板２９を備える。シェービングセクション１３は、半径方向に延在する接続薄板１９をも備え、薄板１９は、ゾーン５１の材料を介して縁１７を縁１５に接続し、又は換言すると、縁１７を縁１５に間接的に接続する。外側シェービングセクション３７は、内側に開いた凹部２１のリング形状ゾーン５５及び従来のスリット形状ヘアエントリ開口４５のリング形状ゾーン５７を備え、ゾーン５７は、ゾーン５５に沿って延在する。シェービングセクション３７は、セクション３７の外形内に位置する自由端２９ａを持つ半径方向に内側に延在する薄板２９を備える。シェービングセクション３７は、半径方向に延在する接続薄板１９をも備え、薄板１９は、ゾーン５７の材料を介して縁１７を縁４１に接続する。
【００２９】
本発明は、図面及び先の説明において詳細に図示及び記載されているが、前記図示及び記載は、説明的又は模範的であり、限定的ではないと見なされるべきである。本発明は、開示された実施例に限定されず、例えば、３より少ない又は多いシェービングセクションを持つ切断ユニットを使用することが可能である。開示された実施例に対する他の変形例は、図面、説明及び請求項の検討から、請求項に記載の発明を実施する当業者により理解及び達成されることができる。特に、外側切断部材に対して平行移動可能に取り付けられた内側切断部材を備えたシェービング装置において本発明者により取られた方策を適用することは、本発明の範囲内である。本発明によるこのような装置において、前記シェービングセクションは、通常は、長軸を持つ細長いセクションであり、図面の説明に記載された種類の自由端を持つ薄板は、前記細長いセクションの長軸に対して実質的に垂直に向けられる。図面の説明に記載された種類の接続薄板は、好ましくは、機械的理由で使用され、皮膚圧力を制御するのに使用されることができる。
【００３０】
本発明による装置及び全ての構成要素が、それ自体が既知であるプロセス及び材料を適用することにより作成されることができることに更に注意する。好ましくは、前記横に開いた凹部は、電気化学的プロセスにより形成される。
【００３１】
請求項及び説明において、単語"有する"は、他の要素を除外せず、不定冠詞"１つの"（"a" or "an"）は、複数を除外しない。請求項内の参照符号は、範囲を限定すると解釈されるべきでない。
【図１】
0005735273.tif 000002
【図２】
0005735273.tif 000003
【図３】
0005735273.tif 000004
【図４】
0005735273.tif 000005
【図５】
0005735273.tif 000006